(57)【要約】【課題】刈取穀稈を滞留させることなく掻込オーガによって確実に搬送させることが可能な汎用コンバインを提供する。【解決手段】この汎用コンバインは、穀稈を刈取る刈刃１４と、該刈刃１４により刈取られた刈取穀稈を左右方向に搬送する掻込オーガ１３と、該掻込オーガ１３によって搬送された刈取穀稈を後方に搬送するフィーダ８と、掻込オーガ１３の前方側に配置された複数の傾倒ガイド体２４とを備えており、該傾倒ガイド体２４は、穀稈を左右方向に傾倒させる傾倒板３３と、該傾倒板３３を支持する支持部材３４とで構成され、該傾倒板３３は刈刃１４の前方から後方に亘って設けられている。【選択図】図４
2020178577.tif 000002
【特許請求の範囲】
【請求項１】
穀稈を刈取る刈刃と、該刈刃により刈取られた刈取穀稈を左右方向に搬送する掻込オーガと、該掻込オーガによって搬送された刈取穀稈を後方に搬送するフィーダと、を備える汎用コンバインにおいて、
前記掻込オーガの前方側に配置され、穀稈を左右方向に傾倒させる傾倒部を有する傾倒ガイド体を備え、
前記傾倒部は、前記刈刃の前方から後方に亘って設けられている、
ことを特徴とする汎用コンバイン。
【請求項２】
前記傾倒ガイド体は、前記刈刃を支持するフレーム部材に対して前記刈刃の下方で固定されて前方に延びる第１支持部と、該第１支持部の前端から前記刈刃の上方に位置するように後方へ延びる第２支持部と、を備え、
前記第２支持部は、前記傾倒部を支持する、
請求項１に記載の汎用コンバイン。
【請求項３】
前記左右方向に並設され、第１の傾倒ガイド体、第２の傾倒ガイド体及び第３の傾倒ガイド体を含む複数の傾倒ガイド体を備え、
前記傾倒ガイド体は前記フィーダの入口に臨まないように配置される前記第１の傾倒ガイド体であり、
前記第２の傾倒ガイド体及び前記第３の傾倒ガイド体は、前記フィーダの前記入口に臨むように配置されると共に穀稈を前記左右方向に傾倒させる傾倒部をそれぞれ有し、
前記第２の傾倒ガイド体と前記第３の傾倒ガイド体との間の前記左右方向における距離は、前記第１の傾倒ガイド体と前記複数の傾倒ガイド体の内の前記第１の傾倒ガイド体に隣接して配置される傾倒ガイド体との間の前記左右方向における距離よりも短い、
請求項１または２に記載の汎用コンバイン。
【発明の詳細な説明】
【技術分野】
【０００１】
本発明は、穀稈を刈取って後方に搬送する汎用コンバインに関する。
【背景技術】
【０００２】
一般的に汎用コンバインは、走行機体と、該走行機体の前部に昇降可能に連結された刈取部と、該刈取部により刈取られた刈取穀稈を脱穀する脱穀装置とを備えており、刈取部には、刈取穀稈を脱穀装置側に向けて後方搬送するフィーダが設けられている（例えば、特許文献１参照）。
【０００３】
この種の汎用コンバインにおいては、刈取部のフレーム部材に、左右方向に延びる円柱状の掻込オーガが軸回りに回転可能に支持されており、該掻込オーガの前方にレシプロ式の刈刃が配置されている。そして、該刈刃により刈取られた刈取穀稈は、回転する掻込オーガによってフィーダの入口側に搬送された後、フィーダに備えられるフィーダコンベアによって後方搬送されるようになっている。
【先行技術文献】
【特許文献】
【０００４】
【特許文献１】特許第５９４１７９０号公報
【発明の概要】
【発明が解決しようとする課題】
【０００５】
しかし、上記従来構成の汎用コンバインでは、刈取穀稈がトウモロコシ等のように折れ難い長尺状の作物であったり、穀物重量が軽く傾倒しにくい作物であったりすると、刈取穀稈が掻込オーガの外周面に寄り掛かったまま滞留してしまうことがあり、その場合、刈取穀稈をフィーダまで搬送できないため、刈取作業を継続させることができなくなる。
【０００６】
そこで本発明は、刈取穀稈を詰まらせることなく掻込オーガによって刈取穀稈を確実に搬送することが可能な汎用コンバインを提供することを目的とする。
【課題を解決するための手段】
【０００７】
本発明に係る汎用コンバイン（１）は、穀稈を刈取る刈刃（１４）と、該刈刃（１４）により刈取られた刈取穀稈を左右方向に搬送する掻込オーガ（１３）と、該掻込オーガ（１３）によって搬送された刈取穀稈を後方に搬送するフィーダ（８）と、を備える汎用コンバイン（１）において、
前記掻込オーガ（１３）の前方側に配置され、穀稈を左右方向に傾倒させる傾倒部（３３）を有する傾倒ガイド体（２４）を備え、
前記傾倒部（３３）は、前記刈刃（１４）の前方から後方に亘って設けられている、
ことを特徴とする。
【０００８】
例えば図５を参照して、前記傾倒ガイド体（２４）は、前記刈刃（１４）を支持するフレーム部材（９）に対して前記刈刃（１４）の下方で固定されて前方に延びる第１支持部（３４ａ）と、該第１支持部（３４ａ）の前端から前記刈刃（１４）の上方に位置するように後方へ延びる第２支持部（３４ｂ）と、を備え、
前記第２支持部（３４ｂ）は、前記傾倒部（３３）を支持する。
【０００９】
例えば図４を参照して、前記左右方向に並設され、第１の傾倒ガイド体（２４Ａ）、第２の傾倒ガイド体（２４Ｂ）及び第３の傾倒ガイド体（２４Ｃ）を含む複数の傾倒ガイド体を備え、
前記傾倒ガイド体は前記フィーダ（８）の入口（８ａ）に臨まないように配置される前記第１の傾倒ガイド体（２４Ａ）であり、
前記第２の傾倒ガイド体（２４Ｂ）及び前記第３の傾倒ガイド体（２４Ｃ）は、前記フィーダ（８）の前記入口（８ａ）に臨むように配置されると共に穀稈を前記左右方向に傾倒させる傾倒部（３３）をそれぞれ有し、
前記第２の傾倒ガイド体（２４Ｂ）と前記第３の傾倒ガイド体（２４Ｃ）との間の前記左右方向における距離（Ｐ１）は、前記第１の傾倒ガイド体（２４Ａ）と前記複数の傾倒ガイド体の内の前記第１の傾倒ガイド体（２４Ａ）に隣接して配置される傾倒ガイド体（２４Ｄ）との間の前記左右方向における距離（Ｐ３）よりも短い。
【００１０】
なお、上述カッコ内の符号は、図面と対照するためのものであるが、何ら本発明の構成を限定するものではない。
【発明の効果】
【００１１】
請求項１に係る本発明によると、掻込オーガの前方側に配置された傾倒ガイド体が穀稈を左右方向に傾倒させる傾倒部を有しており、該傾倒部が刈刃の前後方向に亘って設けられているので、圃場の穀稈を刈刃で刈取る前と刈取った後の両方で連続的に傾倒させることができ、刈取穀稈を左右方向に確実に傾倒させた状態で掻込オーガに導くことができる。これにより、刈取穀稈が例えばトウモロコシ等のように折れ難い長尺状の作物であった場合でも、刈取穀稈を掻込オーガに滞留させることなく掻込オーガによって刈取穀稈を確実に搬送することができる。
【００１２】
請求項２に係る本発明によれば、刈刃を支持するフレーム部材の下方に固定した第１支持部を前方に延ばし、該第１支持部の前端を折り返して後方へ延びる第２支持部に傾倒部を支持させたので、簡単な構成で傾倒ガイド体の傾倒部を刈刃の上方に配設することができる。
【００１３】
請求項３に係る本発明によれば、フィーダの入口に臨むように配置される第２の傾倒ガイド体と第３の傾倒ガイド体の間の距離を、フィーダの入口に臨まないように配置された第１の傾倒ガイド体と第１の傾倒ガイド体に隣接した傾倒ガイド体との距離よりも短くなるように構成し、フィーダの入口において傾倒ガイド体をより高い密度で配置したので、刈取穀稈が特に集合して滞留しやすいフィーダの入口で刈取穀稈の姿勢を乱して掻込みを促進させることができるとともに、使用される傾倒ガイド体の総個数を少なくしてコストの上昇を抑えることができる。
【図面の簡単な説明】
【００１４】
【図１】本発明を適用した汎用コンバインの平面図。
【図２】本発明を適用した汎用コンバインの左側面図。
【図３】刈取部の要部を示す側面図。
【図４】刈取部の要部を示す平面図。
【図５】傾倒ガイド体の取付構成を示す側面図。
【図６】傾倒ガイド体の作用を示す説明図。
【発明を実施するための形態】
【００１５】
以下、本発明の実施の形態に係る汎用コンバインについて、図面に基づいて説明する。なお、以下の説明において、汎用コンバインの前進方向を「前方」として、その反対側を「後方」とする。また、汎用コンバインに搭乗した作業者が正面（前方）を向いた視点を基準にして、上下左右の方向を表すものとする。
【００１６】
図１は本発明を適用した汎用コンバインの平面図、図２は該汎用コンバインの左側面図、図３は該汎用コンバインに備えられる刈取部の要部を示す側面図、図４は該刈取部の要部を示す平面図である。図示する汎用コンバイン１は、図１乃至図４に示すように、左右一対のクローラ式走行装置２，２を有する走行機体３と、走行機体３の前部に昇降自在に連結された刈取部４とを備えている。
【００１７】
走行機体３の左側には、刈取部４で刈取られた圃場の穀稈の脱穀処理を行うとともに、脱穀処理された処理物から穀粒を選別する脱穀装置５が設置されている。走行機体３の右側には、脱穀装置５で選別された穀粒を貯留するグレンタンク６が設置されており、該グレンタンク６の前方には、作業者（オペレータ）が乗り込む操縦部７が設置されている。
【００１８】
刈取部４は、刈取った作物を脱穀装置５に搬送するフィーダ８と、該フィーダ８の前端側に連結されて前面及び上面を開放する箱状の刈取フレーム９と、該刈取フレーム９を構成する左右の側壁９ａの前端側に取付けられた分草体１０と、該刈取フレーム９の上方に支持された支持アーム１１の前端側に回転可能に支持されたリール１２と、該刈取フレーム９を構成する底板９ｂの上方に設置された掻込オーガ１３と、掻込オーガ１３の前方斜め下方に設置されたレシプロ式の刈刃１４とを備えている。
【００１９】
刈取部４と走行機体３の間には、該刈取部４を走行機体３に対して昇降動作させる油圧式のリフトシリンダ１５が設けられており、該リフトシリンダ１５の伸長作動によって刈取部４全体が走行機体３に対して上昇作動する一方で、該リフトシリンダ１５の縮小作動によって刈取部４全体が走行機体３に対して下降作動するようになっている。
【００２０】
掻込オーガ１３は、左右方向に延びる円柱状の本体部１６と、該本体部１６の外周面に沿って螺旋状に取付けられた搬送板１７と、該本体部１６の径方向外側に向かって突設された搬送棒１８とを有しており、本体部１６は、刈取フレーム９の左右の側壁９ａに軸回りに回転駆動可能に支持されている。そして、これら搬送板１７及び搬送棒１８により、刈刃１４で刈取った刈取穀稈をフィーダ８の入口８ａまでスムーズに搬送できるようになっている。
【００２１】
フィーダ８は、刈刃１４で刈取った刈取穀稈を後方搬送するフィーダコンベア１９を備えている。このフィーダ８は、走行機体３の右側部分に設けられた操縦部７の左側方に位置しており、該フィーダ８の後端部が走行機体３の前部に上下揺動可能に支持されている。
【００２２】
リール１２は、支持アーム１１側に取付けられた油圧式の昇降シリンダ２０の伸縮作動により、刈取フレーム９に対して昇降作動するようになっている。該リール１２は、軸回転する側面視多角形状（図示する例では六角形状）の左右一対のサイドフレーム２１を有し、互いに離間した状態で平行に対向配置されたサイドフレーム２１の頂点部分同士を左右方向に延びる複数の横フレーム２２で連結することにより、内部が空洞となる角柱状に成型されている。また、軸回りに所定間隔毎に配置された各横フレーム２２には、下降突出するリールタイン２３が所定間隔毎に複数配置されている（図３参照）。
【００２３】
図４に示すように、刈刃１４は、左右方向に往復スライド駆動する複数の可動刃１４ａと、各可動刃１４ａを受け入れる間隙（スリット）を有する複数の固定刃１４ｂとで構成されている。掻込オーガ１３の前方側には、該刈刃１４によって刈取られる穀稈を左右方向に傾倒させる傾倒ガイド体２４が配置されている。該傾倒ガイド体２４の具体的な構成については後述するが、回転するリール１２によって掻込まれた穀稈は、該傾倒ガイド体２４で左方向又は右方向に傾倒されながら刈刃１４により刈取られ、こうして刈取られた刈取穀稈が掻込オーガ１３によってフィーダ８側へと搬送される。フィーダ８の入口８ａからフィーダ８内に導入された刈取穀稈は、フィーダコンベア１９によって脱穀装置５まで後方搬送される。
【００２４】
該脱穀装置５は、フィーダ８からの刈取穀稈が導入される扱室２５と、該扱室２５の直下方に配置された選別室２６とを有しており、該扱室２５内には、円柱状の扱胴２７が前後方向に延びる軸回りに回転駆動可能に支持されている。また、選別室２６内の上部には、前後動する揺動選別体２８が設置されており、選別室２６内の下部には、前側に後方斜め上方の選別風を起風する唐箕ファン２９が配置され、該唐箕ファン２９の後方には、一番ラセン３０及び二番ラセン３１が前後に並べて設けられている（図２参照）。
【００２５】
このような構成により、フィーダ８から脱穀装置５に全部が投入された刈取穀稈は、扱室２５内で回転駆動する扱胴２７によって後方搬送されながら脱穀処理され、脱穀処理された処理物は選別室２６へと落下する。該選別室２６に落下した処理物は、揺動選別体２８によって揺動選別されるとともに、上記選別風によって選別（風選）される。
【００２６】
具体的には、前側の一番ラセン３０側に落下する一番物と、選別風によって後側の二番ラセン３１側に落下する二番物と、選別風によって後方斜め上方に吹き上げられる藁屑等の排塵物とに選別される。一番物は穀粒としてグレンタンク６内に搬送され、二番物は選別室２６内に再投入されて風選され、排塵物は、走行機体３の後端側から機外に排出される。なお、グレンタンク６内に貯蔵された穀粒は、走行機体３の後端部に支持された排出オーガ３２によって機外に排出される。
【００２７】
次に、図４乃至図６を参照して、傾倒ガイド体２４の具体的な構成を説明する。図５は傾倒ガイド体２４の取付構成を示す側面図であり、図６は傾倒ガイド体２４の作用を示す説明図である。
【００２８】
図４に示すように、傾倒ガイド体２４は、三角形状の傾倒板３３と、該傾倒板３３を支持する支持部材３４とで構成されており、傾倒部としての傾倒板３３は刈刃１４の上方に配置されると共に、刈刃１４の前方から後方に亘って配置されている。該傾倒ガイド体２４は、掻込オーガ１３の前方位置に複数配置されており、これら複数の傾倒ガイド体２４は左右方向に空隙を存して一列に並設されている。ここで、左右方向において刈刃１４が配置されている領域において、フィーダ８の入口８ａに臨む部分を領域Ｓ１、フィーダ８の入口８ａに臨んでいない部分を領域Ｓ２とすると、本実施の形態では、領域Ｓ１内に３つの傾倒ガイド体２４が設置され、領域Ｓ２内に１つの傾倒ガイド体２４が設置されている。
【００２９】
ここで、領域Ｓ２に配置されている１つの傾倒ガイド体２４を第１の傾倒ガイド体２４Ａとし、領域Ｓ１に配置されている３つの傾倒ガイド体２４を機体左側から第２の傾倒ガイド体２４Ｂ、第３の傾倒ガイド体２４Ｃ及び第４の傾倒ガイド体２４Ｄとする。この時、第２の傾倒ガイド体２４Ｂと第３の傾倒ガイド体２４Ｃとの間の左右方向における距離Ｐ１は、第１の傾倒ガイド体２４Ａと複数の傾倒ガイド体の内の第１の傾倒ガイド体２４Ａに隣接して配置される傾倒ガイド体である第４の傾倒ガイド体２４Ｄとの間の左右方向における距離Ｐ３よりも短い。
【００３０】
同様にして、第３の傾倒ガイド体２４Ｃと第４の傾倒ガイド体２４Ｄとの間の左右方向における距離Ｐ２は、上記距離Ｐ３よりも短い。このように領域Ｓ２内に比べて領域Ｓ１内に多くの傾倒ガイド体２４が配置されている。なお、領域Ｓ１内に配置された各傾倒ガイド体２４Ｂ，２４Ｃ，２４Ｄ間の距離Ｐ１，Ｐ２は、上記の例と反対に距離Ｐ２を距離Ｐ１よりも小さな値にしたり、距離Ｐ１と距離Ｐ２を同じ値にしてもよい。また、領域Ｓ１と領域Ｓ２内に配置される傾倒ガイド体２４の数は上記の例に限らず、例えば、フィーダ８の入口８ａに臨んでいない領域Ｓ２内に２つ以上の傾倒ガイド体２４を設置してもよい。また、これら複数の傾倒ガイド体（２４Ａ，２４Ｂ，２４Ｃ，２４Ｄ）は、傾倒板３３によって刈取穀稈を倒す方向が右方向又は左方向である点にのみ差異があるものの、基本的には同様の構成を有している。
【００３１】
図５に示すように、刈刃１４を構成する可動刃１４ａと固定刃１４ｂのうち、複数の固定刃１４ｂは、刈取フレーム９の底板９ｂに固設された断面Ｌ形状の受刃台３５にボルト３６を介して固定されており、各固定刃１４ｂに対して可動刃１４ａが左右方向に往復スライド駆動することにより、二股状の固定刃１４ｂに入り込む穀稈を可動刃１４ａで切断するようになっている。
【００３２】
支持部材３４は、刈刃１４の下方で受刃台３５を介して刈取フレーム９に固定されて前方に延びる第１支持部３４ａと、該第１支持部３４ａの前端から刈刃１４の上方に位置するように後方へ延びる第２支持部３４ｂとにより構成されている。該第１支持部３４ａはボルト３６を用いて固定刃１４ｂと共に受刃台３５に共締めされており、該第２支持部３４ｂには傾倒板３３が固定されている。なお、傾倒板３３は、第２支持部３４ｂと一体に形成されていてもよい。該傾倒板３３は、先端から後端側に向かって徐々に幅広となる三角形状に形成されており、その後端部は刈刃１４の後方まで延びている。傾倒板３３は第２支持部３４ｂの左側部と右側部のいずれか一方側に固定されており、図６に示すように、穀稈は傾倒板３３の取付位置に応じて左方向または右方向に傾倒される。
【００３３】
具体的には、図４及び図６に示すように、第１の傾倒ガイド体２４Ａは、第２支持部３４ｂの左側に傾倒板３３が固定されており、第２の傾倒ガイド体２４Ｂ、第３の傾倒ガイド体２４Ｃ及び第４の傾倒ガイド体２４Ｄは、第２支持部３４ｂの右側に傾倒板３３が固定されている。このように、フィーダ８の入口８ａに臨んでいない領域Ｓ２内に設置される第１の傾倒ガイド体２４Ａは、第２支持部３４ｂの左側に傾倒板３３が固定されているため、回転するリール１２によって掻込まれた穀稈は、該傾倒板３３で左方向に傾倒されながら刈刃１４により刈取られる。一方、フィーダ８の入口８ａに臨む領域Ｓ１内に設置される３つの傾倒ガイド体２４Ｂ，２４Ｃ，２４Ｄは、いずれも第２支持部３４ｂの右側に傾倒板３３が固定されているため、回転するリール１２によって掻込まれた穀稈は、該傾倒板３３で右方向に傾倒されながら刈刃１４により刈取られる。
【００３４】
なお、これら傾倒ガイド体２４Ａ，２４Ｂ，２４Ｃ，２４Ｄは、刈刃１４によって刈り取られた刈取穀稈が掻込オーガ１３に立てかかって滞留しないように、刈取穀稈を積極的に左方向又は右方向に傾倒できればよく、傾倒ガイド体２４Ａ，２４Ｂ，２４Ｃ，２４Ｄの傾倒方向は本実施の形態に限定されない。例えば、傾倒ガイド体２４Ｂ，２４Ｃ，２４Ｄのいずれかの傾倒ガイド体による刈取穀稈の傾倒方向を左方向としてもよい。
【００３５】
本実施形態に係る汎用コンバイン１は上述した構成からなり、掻込オーガ１３の前方側に配置された傾倒ガイド体２４が穀稈を左右方向に傾倒させる傾倒板３３を有しており、該傾倒板３３が刈刃１４の前方から後方に亘って設けられているので、圃場の穀稈を刈刃１４で刈取る前と刈取った後の両方で連続的に傾倒させることができ、刈取穀稈を左右方向に確実に傾倒させた状態で掻込オーガ１３に導くことができる。これにより、刈取穀稈がトウモロコシ等のように折れ難い長尺状の作物であった場合でも、刈取穀稈を掻込オーガ１３に滞留させることなく掻込オーガによって刈取穀稈を確実に搬送することができる。
【００３６】
また、傾倒ガイド体２４が、第１支持部３４ａと第２支持部３４ｂからなる支持部材３４を備えており、刈刃１４を支持する刈取フレーム（フレーム部材）９の下方に固定した第１支持部３４ａを前方に延ばし、該第１支持部３４ａの前端を折り返して後方へ延びる第２支持部３４ｂに傾倒板３３を固定したので、簡単な構成で傾倒ガイド体２４の傾倒板３３を刈刃１４の上方に配設することができる。しかも、刈刃１４の固定刃１４ｂと第１支持部３４ａを刈取フレーム９の受刃台３５にボルト３６で共締めするように構成されており、刈刃１４の各固定刃１４ｂを刈取フレーム９に固定するのに必要なボルト３６を傾倒ガイド体２４の固定手段として兼用することができるため、複数の傾倒ガイド体２４を掻込オーガ１３の前方側の任意箇所に容易に設置することができ、かつコストダウンできる。
【００３７】
また、フィーダ８の入口８ａに臨む領域Ｓ１内に配置される第２の傾倒ガイド体２４Ｂと第３の傾倒ガイド体２４Ｃとの間の距離Ｐ１を、フィーダ８の入口８ａに臨んでいない領域Ｓ２内に配置される第１の傾倒ガイド体２４Ａとその側方に配置される第４の傾倒ガイド体２４Ｄとの間の距離Ｐ３に比べて狭く設定し、領域Ｓ２内に比べて領域Ｓ１内に高い密度で傾倒ガイド体２４が配置されているため、掻込オーガ１３によって搬送される刈取穀稈が特に集合して滞留しやすいフィーダ８の入口８ａにおいて重点的に刈取穀稈の姿勢を乱して掻込みを促進させることができるとともに、使用される傾倒ガイド体２４の総個数を少なくしてコストの上昇を抑えることができる。
【００３８】
なお、本発明は、上記実施形態に限定されないことは勿論であり、特許請求の範囲を逸脱しない限り任意の変更・追加が可能であることは言うまでもない。例えば、傾倒板３３の形状や大きさ等を異にする複数種類の傾倒ガイド体２４を準備しておき、これらを掻込オーガ１３の前方の所定位置に設置するようにしてもよい。また、傾倒ガイド体を一枚の三角形状の板状部材によって構成し、該板状部材を刈刃１４に対して左右方向及び前後方向に斜めに跨るように刈取フレーム９に取付けるようにしたり、このような形状の傾倒ガイド体の下側部分に穀稈を刈取可能な切削刃を設けるようにしたりしてもよい。また、三角形状の板状部材からなる傾倒板３３を設けず、例えば第２支持部３４ｂを前後方向に対して左右いずれかに傾斜して設け、第２支持部３４ｂを傾倒部として穀稈を傾倒させる機能を持たせてもよい。
【符号の説明】
【００３９】
１  汎用コンバイン
３  走行機体
４  刈取部
５  脱穀装置
８  フィーダ
８ａ  入口
９  刈取フレーム（フレーム部材）
１３  掻込オーガ
１４  刈刃
１４ａ  可動刃
１４ｂ  固定刃
２４  傾倒ガイド体
２４Ａ  第１の傾倒ガイド体
２４Ｂ  第２の傾倒ガイド体
２４Ｃ  第３の傾倒ガイド体
２４Ｄ  隣接して配置される傾倒ガイド体
３３  傾倒部（傾倒板）
３４ａ  第１支持部
３４ｂ  第２支持部
Ｓ１  領域
Ｓ２  領域
【図１】
2020178577.tif 000003
【図２】
2020178577.tif 000004
【図３】
2020178577.tif 000005
【図４】
2020178577.tif 000006
【図５】
2020178577.tif 000007
【図６】
2020178577.tif 000008